(57)【特許請求の範囲】
【請求項１】
配線を束にして固定する配線押え具と、その配線押え具を挿入固定する装着孔を設けた遊技機であって、
前記装着孔に係止窓を形成し、
前記配線押え具を構成する上係止片と下挿入片を曲折部を有するＵ字状に形成し、
上係止片に前記係止窓に係止可能な係止爪を形成すると共に、前記装着孔の挿入部に挿入可能なコ字状の固定片を形成し、
上係止片と下挿入片に配線を結束する結束具を挿通可能な結束孔を穿設してあることを特徴とする遊技機。
【請求項２】
配線を束にして固定する配線押え具と、その配線押え具を挿入固定する装着孔を設けた遊技機であって、
前記装着孔に係止窓を形成し、
前記配線押え具を構成する上係止片と下挿入片を曲折部を有するＵ字状に形成し、
上係止片に前記係止窓に係止可能な係止爪を形成すると共に、前記装着孔の挿入部に挿入可能なコ字状の固定片を形成し、
前記曲折部に切欠部を形成すると共に、配線を結束する結束具を固定する固定棒を形成してなることを特徴とする遊技機。
【発明の詳細な説明】
【０００１】
【発明の属する技術分野】
本発明は、配線を固定する配線押え具を取り付けた遊技機に関する。
【０００２】
【従来の技術】
遊技機には、遊技内容をより面白くするために、液晶式画面、入賞器、ランプ等、種々の電気部品で構成してあり、それらの配線は中継基板等を介して行っていて、特に、遊技機の裏面の図柄表示装置の辺りは最も多くの配線がある。
そのため、遊技機を組み立てるときや搬送時、更には修理等を行うときには、それらの配線を誤って引き抜いたり、切断等のトラブルが生じている。
【０００３】
【発明が解決しようとする課題】
それらのトラブルを解消するために、配線を出来るだけ纏めて結束する必要があり、結束具を用いて縛っている。この結束具にはナイロンバンドがあり、ナイロンバンドに形成のネジ部を結合孔に挿入すると、そのネジ部によって、脱抜を防止するものである。しかし、このナイロンバンドで結束する配線は、入賞装置等に固定体がない限り、配線だけの結束となり、入賞装置や入賞球誘導板に沿わせておくことができず、入賞装置等から離脱した状態（浮いた状態）になり、運搬時や故障時等に於て引っ掛けて、引き抜かれたり切断等の原因になる。
又、他の手段の結束具として、機構板等に配線押え具を一体に形成し、その押え具を介して結束することが行われているが、その押え具が破損すると、機構板を交換しなければならず不経済となる。
そこで、本発明は、かかる不都合を解消する遊技機に使用の配線押え具を提供するものである。
【０００４】
【課題を解決するための手段】
請求項１の遊技機には、装着孔２０と配線押え具３０が備えてあり、装着孔２０には係止窓２２が形成してある。一方、配線押え具３０は、上係止片３１ａと下挿入片３１ｂを曲折部３８を有するＵ字状で形成してあり、上係止片３１ａには係止窓２２に係止可能な係止爪３３が形成してあると共に、装着孔２０の挿入部２３に挿入可能なコ字状の固定片３５が形成してある。
又、上係止片３１ａと下挿入片３１ｂに配線を結束する結束具５０を挿通可能な結束孔３６ａ、３６ｂを穿設してある。
この配線押え具３０の使用は、先ず、複数（又は単数）本の配線を配線押え具３０に挿入して、結束具５０を結束孔３６ａ、３６ｂに通した後に締めて、配線を配線押え具３０と一体にすることによって、配線押え具３０の紛失防止となる。
そして、他の配線と共に配線押え具３０を装着孔２０に挿入すると、係止爪３３と係止窓２２及び固定片３５が挿入部２３に挿入することによって、配線を平坦状に取り付けることができる。
【０００５】
又、請求項２の配線押え具３０Ａは、曲折部３８に切欠部３９を形成すると共に、結束具５０を固定する固定棒４０が形成してあり、複数（又は単数）本の配線を配線押え具３０Ａに挿入して、結束具５０を介して配線を固定棒４０に一体に固定するので、配線押え具３０Ａの紛失防止となると共に、他の配線と共に配線押え具３０Ａを装着孔２０に装着することによって、配線を平坦状に取り付けることができる。
【０００６】
【発明の実施の形態】
図１は、遊技機としてのパチンコ機の遊技盤１の裏面図、図２は入賞球の誘導板２、図３は図柄表示装置の枠体１０である。
遊技盤１は４角の合板等で製作してあり、中央には可変表示ゲームの表示をする図柄表示器１７を突出可能に取り付ける中央孔（図示略）や、サイドランプ用の孔１ａ等、電気部品用の孔等が穿設してある。そして、それらの電気部品の配線１３ｂが、図柄表示器１７の奥側に取り付けてある中継基板１８に接続されている。
【０００７】
また、遊技盤１の表面には、よく知られているように、複数の障害釘が植設してあると共に、複数の入賞器等が設置してある。一方、遊技盤１の裏面には、前記複数の入賞器に入った入賞球を受入れ可能に、前記遊技盤１との間に、誘導路３（３ａ、３ｂ、３ｃ、３ｄ）の作用をする空間を形成の入賞球誘導板２が取り付けてあり、それらの誘導路３は前記複数の入賞器に対応して払出す賞品球数を区別可能に形成してあると共に、それらの入賞球を検出する検出器の取付け孔５ａ、５ｂが設けてある。
【０００８】
前記遊技盤１の裏面に取り付ける入賞球誘導板２には、図柄表示器１７用の中央孔７が穿設してあり、その中央孔７の４隅には図柄表示器を取付ける支柱８が形成してあると共に、後記で詳述する配線押え具３０を装着する装着孔２０が左右端部に設けてある。
尚、この装着孔２０は、配線押え具３０で結束された配線を押さえるために形成するものであるので、他の箇所に形成してもよいことは言うまでもない。
前記入賞球誘導板２に形成の装着孔２０は直方体状であり、上下の縁部には誘導堤２１ａ、２１ｂが形成してあると共に、入口部には後述の固定片３５が装着する薄肉の挿入部２３が形成してあると共に、後述の配線押え具３０に形成の係止爪３３が係止する係止窓２２が形成してある。
【０００９】
次に、図４に示す配線押え具３０について説明する。尚、図４（Ａ）は正面図、図４（Ｂ）は平面図（Ａ〜Ａ矢視図）、図４（Ｃ）は裏面図（Ｂ〜Ｂ矢視図）である。
この配線押え具３０は、合成樹脂等で板状に製作の上係止片３１ａと下挿入片３１ｂを曲折部３８を有するＵ字状の、所謂、クリップ状に形成してあり、上係止片３１ａと下挿入片３１ｂには弾性作用があり、挟持状態で前記装着孔２０に挿入した後は、拡開可能となる。
又、上係止片３１ａの先端部には下挿入片３１ｂに向けて、停止片３２が上係止片３１ａと下挿入片３１ｂに挿入の配線１３ｂ（後記で取付け方を詳述する）の離脱を一時的に防止可能に形成してあり、その反対側には、前記係止窓２２で係止して脱抜を禁止する凸状の係止爪３３が形成してある。
【００１０】
一方、下挿入片３１ｂには、前記装着孔２０の挿入部２３に挿入可能なコ字状の固定片３５が形成してあり、前記係止爪３３と共に、配線押え具３０を装着孔２０に挿入して堅固に固定可能となる。
又、上係止片３１ａと下挿入片３１ｂの他端部には、後述する結束具５０を挿通可能な細長の結束孔３６ａ、３６ｂが各々穿設してあると共に、上係止片３１ａと下挿入片３１ｂの曲折部３８の外側の中央（幅方向）には、必ずしも必要でないが、後述するバンド部５２の位置決めとなって、堅固に結束可能な結束溝３８ａが形成してあると共に、頂部に、バンド部５２の頭部５３の位置決め用の位置決め突起３８ｂが形成してある。この位置決め突起３８ｂによって、結束具（ナイロンバンド）５０は、簡便に縛ることができる。
【００１１】
次に、前記図３に示す図柄表示装置の枠体１０について説明すると、この枠体１０の中央部には、図柄表示器１７の表示画面を透視する表示窓１１が形成してあると共に、頂部と側部には複数の装飾ランプ１２が取り付けてある。従って、それらの装飾ランプ１２を点灯させるために、複数（又は単数）本の配線１３ａが中継基板１８に接続してある。
又、前記図柄表示器１７の図柄表示を制御をする制御装置の他に、前記サイドランプや装飾ランプ等の点灯制御をする制御装置が付設してあり、それらの制御装置と前記中継基板１８は配線を介して接続してある。
【００１２】
次に、前記遊技盤１へ、枠体１０等を組み付ける過程に於ける配線押え具３０の使用方法について、図４（Ｄ）（Ｅ）を参照して説明する。尚、図４（Ｄ）は上係止片３１ａと下挿入片３１ｂを挟着した状態、図４（Ｅ）は上係止片３１ａと下挿入片３１ｂを開放した状態である。
先ず、配線１３ａを枠体１０の頂部から左右に分けて、装着孔２０の位置を考慮して、配線１３ａを配線押え具３０の曲折部３８の内側に挿入し、その後、それらの配線１３ａを包むように、結束具（例えば、ナイロンバンド）５０の先端部を、上係止片３１ａと下挿入片３１ｂに形成の結束孔３６ａ、３６ｂに通すと共に、頭部の結合孔５１に通す。
尚、前記ナイロンバンド５０は、図４（Ｆ）に示すように、バンド部５２と結合孔５１が形成の頭部５３で構成してあると共に、バンド部５２には凹凸のネジ部５４が形成してある。そのため、一旦、バンド部５２を結合孔５１に挿入して締めると、凹凸のネジ部５４によって取り外しができない。又、前記結束具５０は、前記ナイロンバンドの他、鉄線入のビニール線等であってもよい。
【００１３】
そして、バンド部５２の頭部５３を位置決め突起３８ｂに当てて、バンド部５２を締めることによって、結束具（ナイロンバンド）５０を簡便に縛ることができ、配線１３ａは、配線押え具３０の曲折部３８内で挟着されると共に、バンド部５２は、曲折部３８の外側に形成の結束溝３８ａに埋没して堅固に結束できる。
従って、配線１３ａは、束になった状態で配線押え具３０と一体になり、その後、不要部分のバンド部５２を切断する。
この様に、配線１３ａは、ナイロンバンド５０で配線押え具３０に一体となって結束されるので、小さな部品の配線押え具３０は、紛失することがない。
【００１４】
次に、遊技盤１に、電気部品等を所定位置に組み付けた（例えば、サイドランプをサイドランプ用の孔１ａ）後に、入賞球の誘導板２、図柄表示器１７等を取り付ける。
そして、前記ナイロンバンド５０で結束しない電気部品等の配線１３ｂを、配線押え具３０の上係止片３１ａと下挿入片３１ｂの間に挿入した後に、前記配線押え具３０の上係止片３１ａと下挿入片３１ｂを挟着して（図４（Ｄ）参照）、装着孔２０に挿入すると、上係止片３１ａと下挿入片３１ｂは、弾性作用によって拡開して、係止爪３３が係止窓２２から突出する一方（図４（Ｅ）参照）、固定片３５も挿入部２３に装着する。
すると、この配線押え具３０は、固定片３５で挿入が停止され、反対に、引き抜くと、係止爪３３が係止窓２２に係止して、配線押え具３０は装着孔２０から脱抜できない。その結果、配線１３ａは結束具５０を介して配線押え具３０と一体に、他の配線１３ｂは配線押え具３０で固定されて、入賞球誘導板２に沿った状態になる（図１参照）。
【００１５】
一方、修理等で配線押え具３０を取り外すときには、前記と逆操作を行い、上係止片３１ａと下挿入片３１ｂを挟着して、装着孔２０から離脱させると、配線押え具３０は配線１３ａと一体になっているので紛失することがないし、他の配線１３ｂは離散状態で取り外すことができる。そのため、他の配線１３ｂは、結束具５０を切断することなく修理等が行える。
そして、部品交換が終了した後に、再度、配線押え具３０を装着孔２０に挿入することによって、配線１３ａ、１３ｂは、元の入賞球誘導板２に沿った状態になる。
以上のように、簡便に構成の配線押え具３０と装着孔２０を介して、配線１３ａによって、配線押え具３０の紛失を防止できると共に、この配線押え具３０に他の配線１３ｂを挿入することによって、配線１３ａ、１３ｂを入賞球誘導板２に沿って配線ができ、且つ、取り外しができる。
【００１６】
次に、図５に示す、他の構造の配線押え具３０Ａについて説明する。尚、図５（Ａ）は正面図、（Ｂ）は平面図（Ｃ〜Ｃ矢視図）、図５（Ｃ）は裏面図（Ｄ〜Ｄ矢視図）である。又、前記配線押え具３０と同じ作用をする部分には同じ符号を附す。
この配線押え具３０Ａは、前記配線押え具３０との相違は、上係止片３１ａと下挿入片３１ｂに形成の結束孔３６ａ、３６ｂがなく、それに替えて、曲折部３８の一部を切欠く切欠部３９を形成すると共に、その切欠部３９に突出して固定棒４０が形成してある点である。尚、この固定棒４０の長さは切欠部３９の切欠幅であり、この長さは、結束具５０を介して結束可能な配線１３ａの本数に対応して選定する。
そして、配線１３ａは、図５（Ｄ）（Ｆ）に示すように、結束具（ナイロンバンド）５０で、固定棒４０に抱き合わされた状態で一体に固定されるので、配線押え具３０Ａの紛失防止となり、配線押え具３０Ａを装着孔２０に装着することによって、束になった配線１３ａは入賞球誘導板２に沿って配線ができる。尚、他の配線１３ｂは前記配線押え具３０におけると同様である。
【００１７】
以上のように、配線押え具３０、３０Ａは簡便な構造であり、装着孔２０と相まって、遊技機の何れの箇所でも取り付けでき、配線押え具３０、３０Ａを装着孔２０に装着することによって、図１に示すように、平坦状に配線できるので運搬時等に於て引っ掛ける原因になることを防止できるし、修理等において、配線押え具３０、３０Ａを装着孔２０から離脱させても、一部の配線が配線押え具３０、３０Ａに一体に固定してあるので、配線押え具３０、３０Ａの紛失防止となる。
尚、前記配線押え具３０、３０Ａと装着孔２０は遊技機の他に、種々の分野において適用できることはいうまでもない。
【００１８】
【発明の効果】
【課題を解決するための手段】
遊技機に付設の装着孔と配線押え具は簡便な構造であり、配線を結束具を介して配線押え具に固定することによって、配線押え具の紛失防止を図ることができると共に、配線を平坦状にできるので、運搬時等に於て引っ掛けて切断等のトラブルを防止できる。
【図面の簡単な説明】
【図１】パチンコ機の遊技盤の裏面図である。
【図２】入賞球の誘導板の図である。
【図３】図柄表示装置の枠体の図である。
【図４】（Ａ）は配線押え具３０の正面図、（Ｂ）は平面図（Ａ〜Ａ矢視図）、（Ｃ）は裏面図（Ｂ〜Ｂ矢視図）、（Ｄ）は上係止片と下挿入片を挟着した状態図、（Ｅ）は上係止片と下挿入片を開放した状態図、（Ｆ）は結束具の図である。
【図５】（Ａ）は配線押え具３０Ａの正面図、（Ｂ）は平面図（Ｃ〜Ｃ矢視図）、（Ｃ）は裏面図（Ｄ〜Ｄ矢視図）、（Ｄ）は上係止片と下挿入片を挟着した状態図、（Ｅ）は上係止片と下挿入片を開放した状態図である。
【符号の説明】
２０  装着孔
２２  係止窓
２３  挿入部
３０、３０Ａ  配線押え具
３３  係止爪
３１ａ  上係止片
３１ｂ  下挿入片
３５  固定片
３６ａ、３６ｂ  結束孔
３８  曲折部
４０  固定棒
５０  結束具
【図１】
0003721909.tif 000002
【図２】
0003721909.tif 000003
【図３】
0003721909.tif 000004
【図４】
0003721909.tif 000005
【図５】
0003721909.tif 000006